(57)【特許請求の範囲】
【請求項１】
電子部品が実装されるプリント配線基板において、
基板本体と、
前記基板本体に実装され、接続される他のコネクタをロックするロック部を備えた複数のロック機能付きコネクタと、を備え、
前記複数のロック機能付きコネクタを前記ロック部が向かい合うように、かつ向かい合う前記ロック部がロックの解除操作に必要な操作空間を共有するように実装すると共に、共有する前記操作空間に、前記ロック部の解除操作が可能となるような高さの前記電子部品を実装することを特徴とするプリント配線基板。
【請求項２】
前記複数のロック機能付きコネクタを、前記向かい合う前記ロック部の間隔が１５ｍｍから４０ｍｍとなるように実装することを特徴とする請求項１記載のプリント配線基板。
【発明の詳細な説明】
【技術分野】
【０００１】
本発明は、プリント配線基板に関し、特にロック機能を有したコネクタの実装位置に関する。
【背景技術】
【０００２】
従来、負荷や他のプリント配線基板を接続する為のコネクタを多数実装するプリント配線基板では、コネクタを２列に隣接させコネクタ間のスペースを出来る限り少なくすることにより、プリント配線基板の小型化を図るようにしている。また、例えばコネクタのサイズをプリント配線基板の一辺としてプリント配線基板の小型化を図るようにしている（特許文献１参照）。
【０００３】
図４の（ａ）は、小型化が可能となるように多数のコネクタ３０２を２列に隣接させたプリント配線基板３０１の斜視図である。このプリント配線基板３０１では、一部にコネクタ３０２を２列に隣接して配置すると共にコネクタ間のスペースを少なくし、残りのスペースに大型電子部品３０３や小型チップ部品３０４を配置することにより、プリント配線基板３０１の小型化を図っている。
【０００４】
また、図４の（ｂ）は、小型化が可能となるように一辺を、大型のコネクタ３０５のサイズに合わせることにより、一辺を大型のコネクタ３０５のサイズとしたプリント配線基板３０１の斜視図である。そして、このプリント配線基板３０１においては、一辺を、大型コネクタ３０５が実装可能となる必要最小限のサイズにし、残りのスペースに大型電子部品３０３、小型チップ部品３０４及び小型コネクタ３０２を配置している。
【０００５】
【特許文献１】特開２０００−０１３０６０号公報
【発明の開示】
【発明が解決しようとする課題】
【０００６】
ところで、従来のプリント配線基板において、プリント配線基板に実装されるコネクタとして、例えばプリント配線基板に形成された回路に電源基板からの電源を供給する為のインターフェイスとなるコネクタがある。
【０００７】
そして、このようなコネクタとしては、電源基板側のコネクタを挿入する際、電源基板側のコネクタを確実に嵌合することができ、半挿し等の不具合を発生しにくいロック機能を有したコネクタが使用される。また、昨今、信号ラインのインターフェイスとなるコネクタにもロック機能を有したコネクタが使用されている。
【０００８】
ここで、このようなロック機能を有したコネクタを使用する場合、ロック機能を有したコネクタは、嵌合する相手のコネクタを抜く時を想定し、ロック解除操作が可能となるようロック部周辺に人の指が入るだけのスペースが必要である。
【０００９】
しかし、例えば図４の（ａ）に示すようにロック機能を有したコネクタを隣接させて実装した場合、ロック解除操作用のスペースを確保するようにすると、プリント配線基板が大型化してしまう。また、図４の（ｂ）に示すように大型のコネクタ３０５をプリント配線基板３０１の端部に配置した場合でも、コネクタ３０５のロック部周辺に大型部品等を配置してしまうと、ロック解除操作用のスペースが確保できない。
【００１０】
そこで、本発明は、このような現状に鑑みてなされたものであり、ロック機能を有したコネクタのロック解除操作用のスペースを確保することができると共に、小型化が可能なプリント配線基板を提供することを目的とするものである。
【課題を解決するための手段】
【００１１】
本発明は、電子部品が実装されるプリント配線基板において、基板本体と、前記基板本体に実装され、接続される他のコネクタをロックするロック部を備えた複数のロック機能付きコネクタと、を備え、前記複数のロック機能付きコネクタを前記ロック部が向かい合うように、かつ向かい合う前記ロック部がロックの解除操作に必要な操作空間を共有するように実装すると共に、共有する前記操作空間に、前記ロック部の解除操作が可能となるような高さの前記電子部品を実装することを特徴とするものである。
【発明の効果】
【００１２】
本発明のように、ロック部が向かい合うように、かつロック部の間にロックの解除操作に必要な共有の操作空間を形成するように実装することにより、ロック機能付きコネクタのロック解除操作用のスペースを確保することができると共に、小型化が可能となる。
【発明を実施するための最良の形態】
【００１３】
以下、本発明を実施するための最良の形態について、図面を参照して詳しく説明する。
【００１４】
図１は、本発明の実施の形態に係るプリント配線基板の斜視図であり、図１において、１０はプリント配線基板、４はプリント配線基板本体(以下、基板本体という)である。１，１Ａ，１Ｂは基板本体４に実装される電子部品の一例である複数のロック機能付きコネクタ（以下、ロック付きコネクタという）であり、このロック付きコネクタ１，１Ａ，１Ｂは、それぞれロック部２を有している。なお、このロック部２は、例えば不図示の電源基板の後述する図２の（ａ）に示すロック付き雌側コネクタ７のロック部７ａと嵌合するようになっている。
【００１５】
この基板本体４は、例えば電子機器筐体内に実装されるものであり、金型、またドリル加工にて形成された不図示の挿入孔が形成されており、この挿入孔にロック付きコネクタ１，１Ａ，１Ｂが挿入される。また、この基板本体４には、大型電子部品５や小型チップ部品６が実装され、これら大型電子部品５や小型チップ部品６は基板本体４に印刷された不図示のパターンで接続される。
【００１６】
ここで、本実施の形態の基板本体４では、挿入（実装）されるロック付きコネクタ１，１Ａ，１Ｂのうち２つのロック付きコネクタ１Ａ，１Ｂは基板本体４に挿入される際に、ロック部２が向かい合うように配置されている。
【００１７】
図２の（ａ）は、ロック付きコネクタ１Ｂにロック部７ａを備えたロック付き雌側コネクタ７が嵌合する直前の状態を示す斜視図であり、嵌合するロック付き雌側コネクタ７は基板本体４に実装されたロック付きコネクタ１Ｂに対し、垂直に挿入される。また、図２の（ｂ）は、ロック付きコネクタ１Ｂにロック付き雌側コネクタ７のロック部７ａが挿入された状態を示す斜視図である。
【００１８】
ここで、既述したように、ロック付きコネクタ１Ｂに挿入されたロック付き雌側コネクタ７を抜く場合は、ロック部２によるロックを解除するため、既述したようにロック部周辺に人の指が入るだけのスペース（空間）が必要である。
【００１９】
そこで、本実施の形態においては、このロック部２によるロックの解除操作に必要な操作空間であるロック解除操作用のスペース３を、ロック部２が向かい合った図２に示す二つのロック付きコネクタ１Ａ，１Ｂで共有するようにしている。なお、本実施の形態においては、２つのロック付きコネクタ１Ａ，１Ｂの実装間隔Ｌを、１５ｍｍ〜４０ｍｍとしている。
【００２０】
このように２つのロック付きコネクタ１Ａ，１Ｂを、ロック解除操作用のスペース３を共有するようにロック部２が向かい合うように実装することにより、ロック部２を解除する際に、ロック付きコネクタ１Ａ，１Ｂが互い干渉する事無くロック解除ができる。さらに、基板本体４のサイズを不要に大きくする事がなくなり、基板本体４を小型化することが可能となる。
【００２１】
以上説明したように、本実施の形態においては、ロック付きコネクタ１Ａ，１Ｂを、ロック部２が向かい合うように、かつロック部２の間にロックの解除操作に必要な操作空間を共有にするように実装している。これにより、ロック付きコネクタ１Ａ，１Ｂのロック解除操作用のスペースを確保することができると共に、プリント配線基板１０の小型化が可能となる。
【００２２】
なお、このロック解除操作用のスペース３には、ロック部２のロック解除操作が可能となるような高さであればチップ部品等の電子部品を配置することができる。図３は、基板本体４にロック付きコネクタ１Ａ，１Ｂを、ロック部２が向かい合うように配置すると共に、ロック解除操作用のスペース３に小型チップ部品６を配置した状態を示している。
【００２３】
ここで、このロック解除操作用のスペース３に配置される小型チップ部品６は、ロック部２の高さＨ２を超えない高さＨ１を有している。そして、このようにロック解除操作用のスペース３にロック部２の高さＨ２を超えない高さＨ１を有する小型チップ部品６を配置することにより、ロック付きコネクタ１のロック部２の解除作業が可能となる。
【００２４】
このように、高さＨ２以下の小型チップ部品６等の電子部品をロック解除操作用のスペース３に配置することにより、ロック付きコネクタ１のロック部２の解除作業が可能となると共に、プリント配線基板１０の小型化が可能となる。
【図面の簡単な説明】
【００２５】
【図１】本発明の実施の形態に係るプリント配線基板の斜視図。
【図２】上記プリント配線基板にロック部が向かい合って配置されたロック付きコネクタに対しロック付き雌側コネクタを嵌合する動作を示す図。
【図３】上記プリント配線基板にロック部が向かい合って配置されたロック付きコネクタの間に設けられたロック部解除操作用スペースに小型チップ部品を配置した状態を示す図。
【図４】従来のプリント配線基板の構成を示す斜視図。
【符号の説明】
【００２６】
１      ロック付きコネクタ
１Ａ    ロック付きコネクタ
１Ｂ    ロック付きコネクタ
２      ロック部
３      ロック解除操作用のスペース
４      プリント配線基板本体
５      大型電子部品
６      小型チップ部品
７      ロック付き雌側コネクタ
１０    プリント配線基板
【図１】
0005173559.tif 000002
【図２】
0005173559.tif 000003
【図３】
0005173559.tif 000004
【図４】
0005173559.tif 000005